(57)【要約】【課題】  側壁コンクリートと底版コンクリートの間にハンチ部を有する地下式低温貯槽において、ハンチ部での施工作業や検査作業を効率良く行うための作業用架台を提供する。【解決手段】  支柱１１は、ハンチ部３に沿って円周方向に配列され、支柱１１の下端部は底版コンクリート１の周縁部に固定されている。梁１２は、ハンチ部３を跨ぐように、各支柱１１の上部から貯槽の径方向に外側に向かって伸び、梁１２の先端は側壁コンクリート２の下端部に固定されている。支柱１１の側面には内側レール１３が取り付けられ、梁１２の下面には外側レール１４が取り付けられている。内側レール１３と内側レール１４はハンチ部３に沿って円周方向に伸びている。内側レール１３と外側レール１４の間には、可動足場１５が架け渡されている。可動足場１５は、ハンチ部３に沿って円周方向に移動することができる。【選択図】      図１
2005307691.tif 000002
【特許請求の範囲】
【請求項１】
底版コンクリートと側壁コンクリートの間にハンチ部を有する地下式低温貯槽でハンチ部の施工作業の際に使用される作業用架台であって、
ハンチ部に沿って円周方向に配列され、底版コンクリートの周縁部に固定された支柱と、
ハンチ部を跨ぐように各支柱の上部から横方向に伸び、先端が側壁コンクリートの下端部に固定された梁と、
支柱の側面に取り付けられ、ハンチ部に沿って円周方向に伸びる内側レールと、
梁の下側に取り付けられ、ハンチ部に沿って円周方向に伸びる外側レールと、
内側レールと外側レールとの間に架け渡され、内側レールと外側レールによってガイドされ、ハンチ部に沿って円周方向に移動可能な可動足場と、
を備えたことを特徴とする地下式低温貯槽の作業用架台。
【請求項２】
前記支柱は、前記底版コンクリートの上に内面被覆部材を取り付けるための固定金具に固定されることを特徴とする請求項１に記載の地下式低温貯槽の作業用架台。
【請求項３】
前記梁の先端は、前記側壁コンクリートの上に内面被覆部材を取り付けるための固定金具に固定されることを特徴とする請求項１に記載の地下式低温貯槽の作業用架台。
【発明の詳細な説明】
【技術分野】
【０００１】
本発明は、ＬＮＧなどを貯蔵する地下式貯槽の工事で使用される作業用架台であって、特に、側壁コンクリートと底版コンクリートの間にハンチ部を有する構造の地下式貯槽において、そのハンチ部の内装工事などの際に使用される作業用架台に係る。
【背景技術】
【０００２】
ＬＮＧやＬＰＧなどの低温液化ガスを貯蔵するための地下式貯槽では、液位の変動等に伴う熱収縮及び熱膨張を吸収するため、コンクリート製の躯体の内面をメンブレン（ひだ状のコルゲーションが設けられた金属薄板製パネル）で覆った構造が採用されている。そのような、地下式貯槽では、揚水圧に起因するコンクリート躯体への過度な応力集中を防止するため、底面を構成する底版コンクリートと側面を構成する側壁コンクリートをピン結合とし、目地を設けた構造とするのが一般的であった。しかし、そのような構造は、底版コンクリートと側壁コンクリートの目地部に地下水が進入してくるのを防ぐための止水板を設けたり、目地部の段差の緩和対策をすることが必要となり、建設費のコストアップが生じるという問題があった。
【０００３】
これに対して、近年、図３（ａ）（ｂ）に示すように（特許文献１）、底版コンクリート１と側壁コンクリート２の接続部にハンチ部４を設けることにより、底版コンクリート１と側壁コンクリート２を一体化する構造が提案されている。このようなハンチ部３を設けることによって、接続部の剛性が増すと同時に、応力集中も緩和されるので、底版コンクリート１と側壁コンクリート２を一体化することが可能になる。
【０００４】
しかし、ハンチ部は、その高さが、例えば２ｍ程度あり、半径方向の幅もそれ以上となるので、ハンチ部の内側に断熱材やメンブレンなどの部材を取り付ける施工作業が容易ではない。即ち、貯槽の上方から側壁に沿って作業用ゴンドラを降ろそうとしても、ハンチ部があるために、底面まで降ろすことが容易でない。また、仮に、底面（その段階では、既に底面及び側面には断熱材４及びメンブレン５が取り付けられていると想定される）のメンブレン５の上に、歩行用デッキを設けたとしても、作業者の手が直接、ハンチ部の上部までは届かない。更に、そのような場合には、既に完成した底面のメンブレンを損傷する危険性もある。
【特許文献１】特開２００３−２７８９９９号公報
【発明の開示】
【発明が解決しようとする課題】
【０００５】
本発明は、地下式低温貯槽の工事における上記のような問題点に鑑み成されたもので、本発明の目的は、側壁コンクリートと底版コンクリートの間にハンチ部を有する地下式低温貯槽において、ハンチ部での施工作業や検査作業を効率良く行うための作業用架台を提供することにある。
【課題を解決するための手段】
【０００６】
本発明の地下式低温貯槽用作業用架台は、
底版コンクリートと側壁コンクリートの間にハンチ部を有する地下式低温貯槽でハンチ部の施工作業の際に使用される作業用架台であって、
ハンチ部に沿って円周方向に配列され、底版コンクリートの周縁部に固定された支柱と、
ハンチ部を跨ぐように各支柱の上部から横方向に伸び、先端が側壁コンクリートの下端部に固定された梁と、
支柱の側面に取り付けられ、ハンチ部に沿って円周方向に伸びる内側レールと、
梁の下側に取り付けられ、ハンチ部に沿って円周方向に伸びる外側レールと、
内側レールと外側レールとの間に架け渡され、内側レールと外側レールによってガイドされ、ハンチ部に沿って円周方向に移動可能な可動足場と、
を備えたことを特徴とする。
【０００７】
本発明の作業用架台は、地下式低温貯槽のハンチ部の施工作業の際に、例えば、次のように使用される。作業者は、側壁に沿って降ろされた作業用ゴンドラに、前記梁の上またはその上に取り付けられた歩行用デッキから乗降する。また、作業者は、この歩行用デッキから、当該歩行用デッキまたは前記支柱に取り付けられた階段などを使って、前記可動足場の上に降りる。次いで、前記可動足場をハンチ部に沿って円周方向に順次移動させながら、ハンチ部の施工作業（例えば、断熱材及びメンブレンの取付け）を行う。ここで、前記可動足場は、ハンチ部の傾斜に沿うような形状で、ハンチ部の近くに配置することができるので、作業者は、比較的楽な姿勢で効率良くハンチ部の施工作業を行うことができる。
【０００８】
なお、ハンチ部の内装工事を行う段階では、既に底面及び側面には断熱材やメンブレンなどの内面被覆部材が取り付けられていると想定されるので、前記支柱は、例えば、底版コンクリートの上に内面被覆部材を取り付けるための固定金具に固定される。
【０００９】
同様に、前記梁の先端は、例えば、前記側壁コンクリートの上に内面被覆部材を取り付けるための固定金具に固定される。
【発明の効果】
【００１０】
本発明の地下式低温貯槽の作業用架台によれば、ハンチ部での施工作業や検査作業を効率良く行うことができる。
【発明を実施するための最良の形態】
【００１１】
図１及び２に、本発明に基づく地下式低温貯槽の作業用架台の一例を示す。なお、図１は、貯槽の中心軸を含む切断面による断面図、図２は作業用架台を上方から見たときの平面図である。図中、１１は支柱、１２は梁、１３は内側レール、１４は外側レール、１５は可動足場を表わす。
【００１２】
図１に示すように、この貯槽は、底版コンクリート１と側壁コンクリート２の間にハンチ部３が設けられている。なお、貯槽の全体的な構造は、先に示した図３と同様であるので、それについての説明は省略する。
【００１３】
支柱１１は、ハンチ部３に沿って円周方向に配列され、支柱１１の下端部は、底版コンクリート１の周縁部に設けられた固定金具２１に固定されている。なお、これらの固定金具２１には、底版コンクリート１の上に断熱材４及びメンブレン５を取り付けるために使用されているものを利用することができる。梁１２は、ハンチ部３を跨ぐように、各支柱１１の上部から貯槽の径方向に外側に向かって伸び、梁１２の先端は、側壁コンクリート２の下端部に設けられた固定金具２２に固定されている。なお、これらの固定金具２２にも、側壁コンクリート２の上に断熱材４及びメンブレン５を取り付けるために使用されているものを利用することができる。なお、この例では、梁１２は、先端（外周側）の近傍で、一旦、上方に折り曲げられた後、再度横方向に折り曲げられて、側壁面に到達している。
【００１４】
支柱１１のハンチ部側の側面には、内側レール１３が取り付けられている。この内側レール１３はハンチ部に沿って円周方向に伸びている。梁１２の下側の面には、外側レール１４が取り付けられている。この内側レール１４もハンチ部に沿って円周方向に伸びている。内側レール１３と外側レール１４の間には、可動足場１５が架け渡されている。具体的には、可動足場１５の径方向内側の端部には、複数の車輪１７が取り付けられ、これらの車輪１７は内側レール１３で支持されている。可動足場１５の径方向外側の端部には、複数のトロリー１８が取り付けられ、これらのトロリー１８は外側レール１４から吊り下げられている。これによって、可動足場１５は、内側レール１３と外側レール１４によってガイドされ、ハンチ部３に沿って円周方向に移動することができる。
【００１５】
可動足場１５は、適当な間隔を開けてハンチ部３に対向するように、ハンチ部３に対してほぼ平行に配置されている。可動足場１５には、階段状に踏板１９が取り付けられている。梁１２の上面には、歩行用デッキ２０が設けられている。作業者は、側壁に沿って降ろされた作業用ゴンドラ（図示せず）から、上記の歩行用デッキ２０の上に降りることができる。
【００１６】
このような可動足場１５を使用することによって、作業者がハンチ部３の傾斜面に近付くことが容易になり、断熱材及びメンブレン等の取付け作業及び検査を安定した姿勢で効率良く行うことが可能になる。また、断熱材及びメンブレン等の取付け作業の際に、可動足場１５や梁１２にレバーブロックやジャッキなどの作業用機材を取り付けることもできる。更に、支柱１１に階段などを取り付けることによって、作業者は、上記の歩行用デッキ２０上から、貯槽の底面に降りることもできる。
【００１７】
なお、上記のような支柱１１、梁１２、内側レール１３及び外側レール１４は、貯槽の円周方向の全周に渡って設置することが、作業効率上、望ましいが、貯槽の円周方向の一部に設置し、工事の進行に伴い、順次、その位置をずらしていくことも可能である。
【図面の簡単な説明】
【００１８】
【図１】本発明に基づく作業用架台の一例を示す縦方向断面図。
【図２】本発明に基づく作業用架台の一例を示す平面図。
【図３】側壁コンクリートと底版コンクリートの間にハンチ部を有する地下式低温貯槽の概略を示す図であって、（ａ）は全体構成、（ｂ）はハンチ部の部分拡大図。
【符号の説明】
【００１９】
１・・・底版コンクリート、２・・・側壁コンクリート、３・・・ハンチ部、４・・・断熱材、５・・・メンブレン、１１・・・支柱、１２・・・梁、１３・・・内側レール、１４・・・外側レール、１５・・・可動足場、１７・・・車輪、１８・・・トロリー、１９・・・踏板、２０・・・歩行用デッキ、２１、２２・・・固定金具。
【図１】
2005307691.tif 000003
【図２】
2005307691.tif 000004
【図３】
2005307691.tif 000005